【手続補正書】
【提出日】平成20年3月24日(2008.3.24)
【手続補正１】
【補正対象書類名】明細書
【補正対象項目名】発明の名称
【補正方法】変更
【補正の内容】
【発明の名称】情報処理装置及び方法、プログラム
【手続補正２】
【補正対象書類名】明細書
【補正対象項目名】特許請求の範囲
【補正方法】変更
【補正の内容】
【特許請求の範囲】
【請求項１】
文字列を処理する情報処理装置であって、
処理対象の前記文字列から予め定めた項目に対応する文字又は文字列を抽出する抽出手段と、
抽出された文字又は文字列において、情報の省略があるか否かを判定する判定手段と、
情報の省略があると判定された場合に、前記抽出された文字又は文字列を、情報の省略がない文字又は文字列に完全化する完全化手段と、
を備えたことを特徴とする情報処理装置。
【請求項２】
処理対象の前記文字列が戸籍の記載内容を表した文字列であることを特徴とする請求項１に記載の情報処理装置。
【請求項３】
前記完全化手段は、
同じ戸籍に含まれる他の文字または文字列に基づいて、前記抽出された文字又は文字列を、情報の省略がない文字又は文字列に完全化することを特徴とする請求項２に記載の情報処理装置。
【請求項４】
前記完全化手段は、
同じ処理対象の前記文字列に含まれる他の文字または文字列に基づいて、前記抽出された文字又は文字列を、情報の省略がない文字又は文字列に完全化することを特徴とする請求項１又は２に記載の情報処理装置。
【請求項５】
前記完全化手段は、
前記抽出された文字又は文字列の前記項目と同種の項目について抽出された文字または文字列に基づいて、前記抽出された文字又は文字列を、情報の省略がない文字又は文字列に完全化することを特徴とする請求項１又は２に記載の情報処理装置。
【請求項６】
前記判定手段は、
抽出された文字又は文字列が、特定の文字を含む場合に、情報の省略があると判定することを特徴とする請求項１又は２に記載の情報処理装置。
【請求項７】
前記判定手段は、
抽出された文字又は文字列が、特定の文字を含む場合に、情報の省略があると判定し、
前記特定の文字には、「同」、「父」、「母」、「夫」又は「妻」のいずれかが含まれることを特徴とする請求項２に記載の情報処理装置。
【請求項８】
前記判定手段は、
抽出された文字又は文字列のうち、日付、場所、又は、人名を示す文字又は文字列について、情報の省略があるか否かを判定することを特徴とする請求項１又は２に記載の情報処理装置。
【請求項９】
更に、
戸籍の記載事項に応じて定められた複数種類の解析ルールと、各々の前記解析ルールに付された少なくとも一つのルール選択用キーワードと、を記憶する記憶デバイス又は記憶媒体からこれらを取得する手段を備え、
前記抽出手段は、
処理対象の前記文字列に含まれる前記ルール選択用キーワードを検索する検索手段と、
検索した前記ルール選択用キーワードに対応する前記解析ルールに基づいて、処理対象の前記文字列から予め定めた項目に対応する文字又は文字列を抽出する処理手段と、
を備えたことを特徴とする請求項２に記載の情報処理装置。
【請求項１０】
文字列を処理するために、コンピュータを、
処理対象の前記文字列から予め定めた項目に対応する文字又は文字列を抽出する抽出手段、
抽出された文字又は文字列において、情報の省略があるか否かを判定する判定手段、
情報の省略があると判定された場合に、前記抽出された文字又は文字列を、情報の省略がない文字又は文字列に完全化する完全化手段、として機能させるプログラム。
【請求項１１】
文字列を処理する情報処理装置であって、
処理対象の前記文字列から予め定めた項目に対応する文字又は文字列を抽出する抽出手段と、
前記文字又は文字列が抽出されていない前記項目があるか否かを判定する判定手段と、
前記文字又は文字列が抽出されていない前記項目がある場合に、当該項目に該当する文字又は文字列を検索する手段と、
を備えたことを特徴とする情報処理装置。
【請求項１２】
文字列を処理するために、コンピュータを、
処理対象の前記文字列から予め定めた項目に対応する文字又は文字列を抽出する抽出手段、
前記文字又は文字列が抽出されていない前記項目があるか否かを判定する判定手段、
前記文字又は文字列が抽出されていない前記項目がある場合に、当該項目に該当する文字又は文字列を検索する手段、
として機能させるプログラム。
【請求項１３】
コンピュータにより文字列を処理する情報処理方法であって、
処理対象の前記文字列から予め定めた項目に対応する文字又は文字列を抽出する抽出工程と、
抽出された文字又は文字列において、情報の省略があるか否かを判定する判定工程と、
情報の省略があると判定された場合に、前記抽出された文字又は文字列を、情報の省略がない文字又は文字列に完全化する完全化工程と、
を備えたことを特徴とする情報処理方法。
【請求項１４】
コンピュータにより文字列を処理する情報処理方法であって、
処理対象の前記文字列から予め定めた項目に対応する文字又は文字列を抽出する抽出工程と、
前記文字又は文字列が抽出されていない前記項目があるか否かを判定する判定工程と、
前記文字又は文字列が抽出されていない前記項目がある場合に、当該項目に該当する文字又は文字列を検索する工程と、
を備えたことを特徴とする情報処理方法。
【手続補正３】
【補正対象書類名】明細書
【補正対象項目名】０００１
【補正方法】変更
【補正の内容】
【０００１】
【発明の属する技術分野】
本発明は、戸籍の記載内容等を電子化する技術に関するものである。
【手続補正４】
【補正対象書類名】明細書
【補正対象項目名】０００４
【補正方法】変更
【補正の内容】
【０００４】
従って、本発明の目的は、戸籍の記載内容等を電子化するにあたり、効率的な処理を実現し得る情報処理技術を提供することにある。
【手続補正５】
【補正対象書類名】明細書
【補正対象項目名】０００５
【補正方法】変更
【補正の内容】
【０００５】
【課題を解決するための手段】
本発明によれば、文字列を処理する情報処理装置であって、
処理対象の前記文字列から予め定めた項目に対応する文字又は文字列を抽出する抽出手段と、
抽出された文字又は文字列において、情報の省略があるか否かを判定する判定手段と、
情報の省略があると判定された場合に、前記抽出された文字又は文字列を、情報の省略がない文字又は文字列に完全化する完全化手段と、
を備えたことを特徴とする情報処理装置が提供される。
【手続補正６】
【補正対象書類名】明細書
【補正対象項目名】０００６
【補正方法】変更
【補正の内容】
【０００６】
また、本発明によれば、文字列を処理するために、コンピュータを、
処理対象の前記文字列から予め定めた項目に対応する文字又は文字列を抽出する抽出手段、
抽出された文字又は文字列において、情報の省略があるか否かを判定する判定手段、
情報の省略があると判定された場合に、前記抽出された文字又は文字列を、情報の省略がない文字又は文字列に完全化する完全化手段、として機能させるプログラムが提供される。
【手続補正７】
【補正対象書類名】明細書
【補正対象項目名】０００７
【補正方法】変更
【補正の内容】
【０００７】
また、本発明によれば、文字列を処理する情報処理装置であって、
処理対象の前記文字列から予め定めた項目に対応する文字又は文字列を抽出する抽出手段と、
前記文字又は文字列が抽出されていない前記項目があるか否かを判定する判定手段と、
前記文字又は文字列が抽出されていない前記項目がある場合に、当該項目に該当する文字又は文字列を検索する手段と、
を備えたことを特徴とする情報処理装置が提供される。
【手続補正８】
【補正対象書類名】明細書
【補正対象項目名】０００８
【補正方法】変更
【補正の内容】
【０００８】
また、本発明によれば、文字列を処理するために、コンピュータを、
処理対象の前記文字列から予め定めた項目に対応する文字又は文字列を抽出する抽出手段、
前記文字又は文字列が抽出されていない前記項目があるか否かを判定する判定手段、
前記文字又は文字列が抽出されていない前記項目がある場合に、当該項目に該当する文字又は文字列を検索する手段、
として機能させるプログラムが提供される。
【手続補正９】
【補正対象書類名】明細書
【補正対象項目名】０００９
【補正方法】変更
【補正の内容】
【０００９】
また、本発明によれば、コンピュータにより文字列を処理する情報処理方法であって、
処理対象の前記文字列から予め定めた項目に対応する文字又は文字列を抽出する抽出工程と、
抽出された文字又は文字列において、情報の省略があるか否かを判定する判定工程と、
情報の省略があると判定された場合に、前記抽出された文字又は文字列を、情報の省略がない文字又は文字列に完全化する完全化工程と、
を備えたことを特徴とする情報処理方法が提供される。
【手続補正１０】
【補正対象書類名】明細書
【補正対象項目名】００１０
【補正方法】変更
【補正の内容】
【００１０】
また、本発明によれば、コンピュータにより文字列を処理する情報処理方法であって、
処理対象の前記文字列から予め定めた項目に対応する文字又は文字列を抽出する抽出工程と、
前記文字又は文字列が抽出されていない前記項目があるか否かを判定する判定工程と、
前記文字又は文字列が抽出されていない前記項目がある場合に、当該項目に該当する文字又は文字列を検索する工程と、
を備えたことを特徴とする情報処理方法が提供される。
【手続補正１１】
【補正対象書類名】明細書
【補正対象項目名】００７７
【補正方法】変更
【補正の内容】
【００７７】
【発明の効果】
以上説明したように、本発明によれば、戸籍の記載事項等を電子化するにあたり、効率的な処理を実現することができる。